(57)【要約】      （修正有）【課題】米国方式におけるダウンロードサービスの所用時間を短縮する。【解決手段】Ｓ５’でダウンロードチャンネルを特定する。Ｓ１１において処理を開始し、Ｓ１２でＶＣＴを取得する。Ｓ１３でＶＣＴの中に入っている、ｓｅｒｖｉｃｅ＿ｔｙｐｅ＝０×５のＰｒｏｇｒａｍ  ｎｕｍｂｅｒを探す。次に、Ｓ１４でＰＭＴを取得するためにＰＡＴを取得し、ＰＡＴを取得する際に、上記Ｐｒｏｇｒａｍ  ｎｕｍｂｅｒのＰＭＴを取得するためのＰＩＤを取得する。これにより、Ｓ１６で上記Ｐｒｏｇｒａｍ  ｎｕｍｂｅｒのＰＭＴを取得することができる。Ｓ１７で、ＰＭＴを確認し、stream_typeが0xBであることを確認する。これでダウンロードチャンネルであることを特定することができる。Ｓ１８でダウンロードチャネルを不揮発性メモリなどに格納し、Ｓ１９において処理を終了する。【選択図】図５
2008060702.tif 000002
【特許請求の範囲】
【請求項１】
デジタル放送受信装置におけるソフトウェアの修正用のデータをデジタル放送受信装置に送信し、デジタル放送受信装置でダウンロードすることにより自動的にバグを修正するソフトウェアダウンロード部を備えたデジタル放送受信装置であって、
ソフトウェアのダウンロード処理に先立って、
視聴チャンネル設定のための全チャンネルサーチ処理に連動させてダウンロードチャンネルを検索するステップと、検索されたダウンロードチャネルをメモリに記憶するステップと、を行う制御部を有することを特徴とするデジタル放送受信装置。
【請求項２】
前記ダウンロードチャンネルを検索するステップは、受信する物理チャンネル内で放送されている全てのサブチャンネルにそれぞれ対応するプログラム番号のＰＭＴＩＤに関する情報であってダウンロードサービスの有無を含むＰＭＴ情報を取得するステップを含むことを特徴とする請求項１に記載のデジタル放送受信装置。
【請求項３】
デジタル放送受信装置におけるソフトウェアの修正用のデータをデジタル放送受信装置に送信し、デジタル放送受信装置でダウンロードすることにより自動的にバグを修正するソフトウェアダウンロード方法であって、
ソフトウェアのダウンロード処理に先立って、
視聴チャンネル設定のための全チャンネルサーチ処理に連動させてダウンロードチャンネルを検索するステップと、
検索されたダウンロードチャネルをメモリに記憶するステップと
を有することを特徴とするソフトウェアダウンロード方法。
【請求項４】
前記ダウンロードチャンネルを検索するステップは、受信する物理チャンネル内で放送されている全てのサブチャンネルにそれぞれ対応するプログラム番号のＰＭＴＩＤに関する情報であってダウンロードサービスの有無を含むＰＭＴ情報を取得するステップを含むことを特徴とする請求項３に記載のソフトウェアダウンロード方法。
【請求項５】
前記ＰＭＴ情報を、ＰＡＴ情報、ＶＣＴ情報の取得に合わせて取得することを特徴とする請求項４に記載のソフトウェアダウンロード方法。
【請求項６】
前記ＰＭＴ情報を、前記ＶＣＴ情報に基づいて取得するステップを有することを特徴とする請求項５に記載のソフトウェアダウンロード方法。
【請求項７】
請求項３から６までの１ずれか１項に記載のステップを初期設置時に行うことを特徴とするソフトウェアダウンロード方法。
【請求項８】
請求項３から７までのいずれか１項に記載の方法を行った後に、前記メモリに記憶されたダウンロードチャネルでソフトウェアを取得するステップを含むことを特徴とするソフトウェアダウンロード方法。
【請求項９】
請求項３〜８でのいずれか１項に記載のステップをコンピュータに実行させるためのプログラム。
【発明の詳細な説明】
【技術分野】
【０００１】
本発明は、ソフトウェアダウンロードを行うチャネルの検索技術に関する。
【背景技術】
【０００２】
例えばデジタル放送受信装置におけるソフトウェアのバグを修正するために、サーバ側から修正用のデータをデジタル放送受信装置に送信し、デジタル放送受信装置でダウンロードすることで、自動的にバグを修正することが行われている。日本国内のダウンロード方式では全チャンネルで情報配信を行う方式をとっている。従って、チャネルサーチが不要である。
【０００３】
【特許文献１】特開２００２−３４４８３８号公報
【発明の開示】
【発明が解決しようとする課題】
【０００４】
本発明は、日本国内の運用方式とは異なり、全チャンネルにてダウンロードサービスに関わる情報配信が行えず、地域ごとにある１チャンネルのみがダウンロードサービスとして使用できる運用を用いているダウンロードサービスの所用時間を短縮することを目的とする。
【０００５】
図７は、日本国内と本発明の対象となるダウンロード方式の違いを模式的に示す図である。図７に示すように、日本国内におけるダウンロードＳ１０１では、まず、Ｓ１０２においてダウンロード検知スケジュールを取得し（ＳＤＴＴ）、Ｓ１０３においてダウンロード予約を行う。この間に、システム動作Ｓ１１１は、電源オンによる通常動作Ｓ１１２、電源オフによる終了処理Ｓ１１３、電源オフスタンバイＳ１１４が行われている。次いで、ダウンロード予約起動・ダウンロード・終了処理Ｓ１１５が行われ、電源オフスタンバイＳ１１６で処理が終了する。ダウンロード処理Ｓ１１５に対応して、ダウンロード予約起動Ｓ１０４、ダウンロードデータ取得（Ｓ１０５）が行われている。
【０００６】
これに対して、本発明の対象となるダウンロードサービスではサービスに関わる情報がどのチャンネルから取れるか分からない運用方式をとっている。従って、対象運用方式では（Ｓ２０１〜Ｓ２０８）、テレビの視聴中にダウンロードサービスチャネル情報を取得することができないため、従来はチャネルサーチを行う必要があった（Ｓ２０２，Ｓ２０３）。この際、全てのチャンネルからダウンロードチャネルを探す必要があり、ダウンロードサービス全体にかかる所要時間が長くなるという問題があった。すなわち、本発明の対象運用方式のソフトウェアダウンロードサービスでは、地域ごとに1チャンネルでのみ情報配信している。このため、受信機側ではどのチャンネルにデータが流れているか分からず、全チャンネルサーチを行うことで所要時間が長くなるという問題があった。
【０００７】
本発明では、この全チャンネルサーチを行わずにダウンロードを行い、ダウンロード全体にかかる所要時間を短縮することを目的とする。
【課題を解決するための手段】
【０００８】
本発明は、ユーザ視聴チャンネル設定のための全チャンネルサーチ時を行う場合に、合わせてダウンロードチャンネルを記憶する処理を追加的に行うことを特徴とする。その際に得られる情報を用いることにより、ダウンロードデータの取得時間を短縮することができる。
【０００９】
より具体的には、ユーザ視聴チャンネル設定のための全チャンネルサーチは、メニューなどに設けられる受信機購入者が初期設置時にほぼ行う処理であるが、この処理中において予めダウンロードサービスチャンネルをプリセットする処理を加えておく。これにより、ダウンロードサービス全体に要する時間を短くすることができる。
【００１０】
すなわち、本発明の一観点によれば、デジタル放送受信装置におけるソフトウェアの修正用のデータをデジタル放送受信装置に送信し、デジタル放送受信装置でダウンロードすることにより自動的にバグを修正するソフトウェアダウンロード部を備えたデジタル放送受信装置であって、ソフトウェアのダウンロード処理に先立って、視聴チャンネル設定のための全チャンネルサーチ処理に連動させてダウンロードチャンネルを検索するステップと、検索されたダウンロードチャネルをメモリに記憶するステップと、を行う制御部を有することを特徴とするデジタル放送受信装置が提供される。前記ダウンロードチャンネルを検索するステップは、受信する物理チャンネル内で放送されている全てのサブチャンネルにそれぞれ対応するプログラム番号のＰＭＴＩＤに関する情報であってダウンロードサービスの有無を含むＰＭＴ情報を取得するステップを含むことが好ましい。
【００１１】
本発明の他の観点によれば、デジタル放送受信装置におけるソフトウェアの修正用のデータをデジタル放送受信装置に送信し、デジタル放送受信装置でダウンロードすることにより自動的にバグを修正するソフトウェアダウンロード方法であって、ソフトウェアのダウンロード処理に先立って、視聴チャンネル設定のための全チャンネルサーチ処理に連動させてダウンロードチャンネルを検索するステップと、検索されたダウンロードチャネルをメモリに記憶するステップと、を有することを特徴とするソフトウェアダウンロード方法が提供される。前記ダウンロードチャンネルを検索するステップは、受信する物理チャンネル内で放送されている全てのサブチャンネルにそれぞれ対応するプログラム番号のＰＭＴＩＤに関する情報であってダウンロードサービスの有無を含むＰＭＴ情報を取得するステップを含むことが好ましい。また、前記ＰＭＴ情報を、ＰＡＴ情報、ＶＣＴ情報の取得に合わせて取得することができる。さらに、前記ＰＭＴ情報を、前記ＶＣＴ情報に基づいて取得するステップを有することも可能である。これらのステップを初期設置時に行うことが好ましい。
【００１２】
さらに、上記方法を行った後に、前記メモリに記憶されたダウンロードチャネルでソフトウェアを取得するステップによりソフトウェアダウンロードを行うことができる。本発明は、上記のステップをコンピュータに実行させるためのプログラムであっても良い。
【００１３】
上記発明によれば、サービスに関わる情報がどのチャンネルから取れるか分からない仕組みであっても、ソフトウェアダウンロードサービスにかかる全体の所要時間が短くすることができる。
【発明の効果】
【００１４】
本発明によれば、サービスに関わる情報がどのチャンネルから取れるか分からない仕組みであっても、ソフトウェアダウンロードサービスにかかる全体の所要時間を短くすることができる。
【発明を実施するための最良の形態】
【００１５】
以下、本発明の一実施の形態によるソフトウェアダウンロードチャンネル検索方法及びデジタル放送受信機について図面を参照しながら説明を行う。
【００１６】
図１は、本実施の形態によるデジタル放送受信機の一構成例を示す機能ブロック図である。図１に示すように、本実施の形態によるデジタル放送受信機Ａは、アンテナ１と、デジタル放送受信部３と、通信インターフェイス部５と、ダウンロードデータ記憶部７と、デコーダ部１１と、リモコン受光部１５と、制御部１７と、メモリ（ＲＡＭ、ＲＯＭ）３１と、を有している。さらに、音声信号を処理する音声信号処理部２５及びスピーカ２１と、映像信号処理部２７及びディスプレイ２３と、を有している。制御部１７は、メモリ（ＲＯＭ）中のプログラムを実行することにより、ＴＳ変換処理とＴＳ解析処理を行うＴＳ変換・解析処理部１７ａと、ＣＨサーチ処理を行うチャネルサーチ処理部１７ｂと、を有している。ＴＳ信号はアンテナ１から受信した放送波をデジタル放送受信部３で受信・復調することによって取得することができる。尚、ＴＳとは、ＭＰＥＧ−２トランスポートストリーム（Transport Stream）の略であり、以下、ＴＳと記すことにする。
【００１７】
図２は、ＴＳ信号の一構成例を示す図である。ここでは、ＴＳ信号からどのようにしてソフトウェアダウンロードデータが取得されうるかについて説明する。
【００１８】
図２に示すように、ＴＳ中には、ＰＳＩ／ＰＳＩＰと音声信号（音声データ） １１２及び映像信号（画像データ） １１３が含まれている。上記ＰＳＩは、ＴＳ内に必ず含まれるデータであり、仮想チャンネル番号や放送局名等は持たないが、番組データ構成情報としてのＰＡＴ１１０及びＰＭＴ １１１ａ、１１１ｂを有している。ＰＡＴ１１０には、受信する物理チャンネル内で放送されている全てのサブチャンネルにそれぞれ対応するプログラム番号のＰＭＴＩＤに関する情報が格納されている。
【００１９】
例えば、サブチャンネルの１つであるプログラムのＰＭＴ ＩＤは0x0010であり、別のサブチャンネルであるプログラムのＰＭＴ ＩＤは0x0011であるというような情報が格納されている。
【００２０】
ここで、プログラムのサブチャンネルを受信するときは、上記ＰＡＴ １１０の情報に従ってＩＤ番号が0x0010であるＰＭＴ１１１ａに格納されたデータを読み出す。ＰＭＴ １１１ａには、プログラムの映像データＩＤは0x0001であり、同音声データＩＤは0x000aであるといった情報が格納されている。このＰＭＴ １１１ａの情報に従って、デコーダ部１１が映像データ １１３のうち0x0001のＩＤ番号が付与されたものを順次読出し、音声信号処理部２５が音声データ １１２のうち0x000aのＩＤ番号が付与されたものを順次読出し、プログラムのサブチャンネルの映像信号及び音声信号をそれぞれデコードする。このように、ＰＡＴ １１０は、放送信号から映像信号及び音声信号を抽出するために、ＭＰＥＧ-２データ内に必ず含まれている。
【００２１】
制御部１７は、ＭＰＥＧ-２データのＰＡＴ １１０に格納されている情報を解析することにより、受信する物理チャンネル内で放送されている全てのサブチャンネルにそれぞれ対応するＰＭＴ ＩＤを取得することができる。制御部１７は、各サブチャンネルにそれぞれ対応するＰＭＴ ＩＤの順番に従って便宜上の仮想サブチャンネル番号を割り当てる。
【００２２】
ＰＭＴ中にはＤＳＩ(DownloadServerInitiate)１１５、ＤＩＩ(DownloadInfoIndication) １１６、ＤＤＢ（DownloadDataBlock）１１７へのＩＤを含むことが可能であり、そのＩＤを取得、解析することによりＤＳＩ１１５、ＤＩＩ１１６、ＤＤＢ１１７を集めることにより、ソフトウェアのデータをダウンロードすることができる。尚、ＤＤＢ１１７が本実施の形態におけるダウンロードデータそのものであり、ソフトウェアイメージをパケットデータ化したものである。ＤＳＩ１１５、ＤＩＩ１１６は、ＤＤＢ１１７を取得するために必要な信号とみなすことができるが、その取得手順については図６を参照して後述する。
【００２３】
尚、ＶＣＴ１１４は、規格により一意に決められているＩＤから取得することができる。これにはチャンネルごとの情報が埋め込まれており、Program NumberというフィールドによってＰＭＴで記載されているチャンネル情報との関連付けができる。
【００２４】
図３は、チャネルサーチ処理部１７ｂにおいてチャネルサーチを行う際にユーザに提示されるユーザインターフェイスの表示例を示す図である。図３に示す表示例２１においては、Ａｉｒ／Ｃａｂｌｅ２３と、ＣＨ  サーチ２５と、ＣＨ  メモリ２７と、が選択可能である。この場合には、ＣＨサーチ２５が選択されている。これを選択すると、アナログ放送３２、デジタル放送（地上波）３３、デジタル放送（ケーブル放送）３５、のそれぞれのチューナーの使用選択（Ｙｅｓ、Ｎｏ）が可能になっており、Ｓｅａｒｃｈ  Ｓｔａｒｔ３７をクリック等することにより、選択されたチャネルサーチが開始される。ここで、例えば、上記図３に示すようなメニューで提供されるケースが一般的であり、本実施の形態による技術の特徴は、視聴チャンネル設定のためのチャンネルサーチ時にダウンロードチャンネルをプリセットしておくことである。さらに、ユーザ視聴チャンネル設定のための全チャンネルサーチ時に、映像・音声サービスだけでなく、ダウンロードサービスを行っているチャンネルのプリセットを行う。このプリセットチャンネルをまずダウンロードチャンネルとして情報取得を開始することで無駄なチャンネルサーチ処理を省き、ダウンロードデータ取得処理の高速化を可能にする。
【００２５】
以下に、本実施の形態によるチャネルサーチ処理部１７ｂにおけるダウンロードチャネル設定処理を含むサーチ処理の具体的な例について、図面を参照しながら説明を行う。図４は、一般的なダウンロードチャネル設定処理を含むチャネルサーチ処理（図の左側）と、本実施の形態によるダウンロードチャネル設定処理を含むチャネルサーチ処理（図の右側）と、を対比させて示した図である。同じ処理を示す箇所には同じステップ番号を付す。図の左側に示す一般的なダウンロードチャネル設定処理では、まず、ステップＳ１において、サーチチャネルを行うための表であるサーチチャネルテーブルの設定を行い、ステップＳ２において、選局するチャンネルを確定する。次いで、ステップＳ３において、Ｓ２で設定したチャンネルがデジタルチャンネルかどうかを判定する。デジタルチャンネルならば（Ｙ）ステップＳ４に進み、デジタルチャンネルで無ければダウンロードサービスが含まれている可能性が無いため（Ｎ）ステップＳ７に進み、ステップＳ２で設定したチャンネルの処理を終了する。ステップＳ４においては、周波数設定と復調処理の設定を行いＴＳの取得を行い、次いで、ステップＳ５においてＴＳからＰＡＴとＶＣＴの取得を行う。次いで、ステップＳ６において、視聴チャネルデータベースに取得したＰＡＴとＶＣＴとからこの周波数から得られたチャンネル情報をもとに視聴チャンネルを登録（格納）する。  
【００２６】
次いで、ステップＳ７において、１つの物理チャネルの処理を完了すると、ステップＳ８にて、サーチチャンネルテーブルを参照しながら、次のチャンネルがあるかどうかを判定する。次のチャンネルがある場合には（Ｙ）ステップＳ２に戻り、次のサーチチャンネルを確定させる。全てのチャンネルのサーチが終了した場合には、Ｓ９に進みチャンネルサーチ全体の処理を終了する。ステップＳ９において、チャネルサーチ処理を終了すると、視聴チャネル設定チャネルサーチ処理が行われる。
【００２７】
これに対して、本実施の形態による手法では、ステップＳ５の代わりにステップＳ５’に示すように、ＰＡＴ、ＶＣＴに加えてＰＭＴを取得する。上述のように、ＰＭＴには、受信する物理チャンネル内で放送されている全てのサブチャンネルにそれぞれ対応するプログラム番号のＰＭＴ  ＩＤに関する情報が格納されている。この中には、ダウンロードサービスの有無に関する情報が含まれる。また、左図のステップＳ６とステップＳ７の間に、ダウンロードサービスの有無の判定ステップ（ステップＳ７−１）が設けられ、ここでダウンロードサービスが有る場合には（Ｙ）ステップＳ７−２に進み、無い場合にはステップＳ７−３に進み、次のチャンネルのサーチに移る。ステップＳ７−２では、ダウンロードチャネルの登録を行う。図５は、ステップ５’におけるＰＡＴ、ＶＣＴ、ＰＭＴの取得処理の詳細を示す図である。図５に示すように、ステップ５’は、以下のステップを含むことにより、ダウンロードチャネルを特定する。まず、ステップＳ１１において処理を開始し、ステップＳ１２において、ＶＣＴを取得する。次いで、ステップＳ１３において、ステップＳ１２で取得したＶＣＴの中に入っている、ｓｅｒｖｉｃｅ＿ｔｙｐｅ＝０×５のＰｒｏｇｒａｍ  ｎｕｍｂｅｒを探す。
【００２８】
次いで、ステップＳ１４において、ＰＭＴを取得するためにＰＡＴを取得する。ここで、ＰＡＴを取得する際に、上記Ｐｒｏｇｒａｍ  ｎｕｍｂｅｒのＰＭＴを取得するためのＰＩＤを取得する。
【００２９】
これにより、ステップＳ１６において、上記Ｐｒｏｇｒａｍ  ｎｕｍｂｅｒのＰＭＴを取得することができる。ステップＳ１７において、ＰＭＴを確認し、stream_typeフィールドが0xBであることを確認する。これをもってダウンロードチャンネルであることを特定することができる。ステップＳ１８において、ダウンロードチャネルを例えば不揮発性メモリなどに格納し、ステップＳ１９において処理を終了する。尚、stream_typeとは、ＰＭＴに含まれている情報のことであり、例えば、0xBなどの符号が付されているとそれがダウンロードデータであることを示すことになる。
【００３０】
以上に示す処理によってダウンロードチャネルの特定処理を行うことができ、この特定されたダウンロードチャネルを、装置に記憶させることができる。
【００３１】
なお、北米ケーブル放送などＶＣＴが使用されていない運用ケースにおいては破線の部分であるステップＳ１２、Ｓ１３を省略し、Ｓ１４から開始することもできる。
【００３２】
次いで、図６を参照しながら、ダウンロードデータの取得方法について説明を行う。まず、ステップＳ２１において処理を開始すると、ステップＳ２２において、図５の処理において取得した登録済みダウンロードチャネルテーブルを使用し、ステップＳ２３において、次のチャネルがあるか否かを判定する。次のチャネルがあれば（Ｙ）、ステップＳ２４に進みチャネル設定を行う。次のチャネルが無ければ（Ｎ）ステップＳ２７に進み処理を終了する。ステップＳ２４に進むと、図４及び図５で説明したＰＭＴ取得までの処理であるチャネル設定処理を行い、ステップＳ２５において、ダウンロード関連データＤＳＩ，ＤＩＩ，ＤＤＢ取得処理を行う。
【００３３】
図８はＤＳＩ，ＤＩＩ，ＤＤＢの関係を示す図である。図８も参照しながら、ステップＳ２５の内部処理である各情報の取得方法について説明する。ステップＳ２５−１においてＰＭＴからＤＳＩのＩＤを取得し、ＴＳからＤＳＩを取得する。ＤＳＩ（ DownloadServerInitiate）は、メーカーごとのダウンロードシグナリング情報であり、ＤＩＩの情報を関連付けるシグナリング情報と位置づけることができる。自社向けのＤＳＩを発見したら、ステップ２５−２に移りＤＩＩを取得する。
【００３４】
ＤＩＩ（ DownloadInfoIndication）は、本実施の形態におけるダウンロードデータそのものであり、ソフトウェアイメージをパケットデータ化したものであるＤＤＢを特定するためのシグナリング情報であり、ＤＤＢがいつから送出されるかの時刻情報が記載されている。ＤＩＩの運用方法としては、メーカーごとに機種別にＤＩＩを複数使用するなどの運用が考えられるので、ステップＳ２５−２では、自機種向けのＤＩＩを取得し、そこでＤＤＢを取得するための準備を行って、ＤＤＢを取得すべき時刻になったらステップＳ２５−３に進むという処理を行う。
【００３５】
ステップＳ２５−３ではＤＤＢを収集する。収集すべきＤＤＢの数はステップＳ２５−２で取得したＤＩＩに記載されていて、全て取得し終わったらステップＳ２６に進む。なお、取得すべきダウンロードデータが複数のモジュールに分割されていて、さらにそのモジュールが複数のＤＤＢから構成されているという仕組みである。
【００３６】
ステップＳ２６では、収集すべきＤＳＩ，ＤＩＩ，ＤＤＢが取得たかどうかを判定し、取得できなかった場合（Ｎ）には次のチャンネル設定処理ステップＳ２３に戻りそのほかの登録済みダウンロードチャンネルを調べる。
【００３７】
ここで、全ての登録済みダウンロードチャンネルをサーチしたにもかかわらずダウンロードデータＤＳＩ，ＤＩＩ，ＤＤＢが見つからなかった場合、視聴チャンネル全チャンネルにサーチするチャンネル全てについてテーブルを再設定する処理が入っていてもよい（ステップＳ２８）。これは、例えば購入時に行った視聴チャンネルサーチ時に設定しておいたダウンロードチャンネルが、放送側のチャンネル変更などで移動してしまった場合の対応処理として考えられる。
【００３８】
以上に説明したように、本実施の形態においては、ユーザ視聴チャンネル設定のための全チャンネルサーチ時に、映像・音声サービスだけでなく、ダウンロードサービスを行っているチャンネルのプリセットを行う。このプリセットチャンネルをまずダウンロードチャンネルとして情報取得を開始することで無駄なチャンネルサーチ処理を省き、ダウンロードデータ取得処理の高速化が可能になるという利点がある。
【産業上の利用可能性】
【００３９】
本発明は、チャネルサーチを行う装置に利用可能である。
【図面の簡単な説明】
【００４０】
【図１】本発明の一実施の形態によるデジタル放送受信機の一構成例を示す機能ブロック図である。
【図２】ＴＳ信号としてメモリに記憶されている、ＭＰＥＧ-２データの一構成例を示す図である。
【図３】チャネルサーチを行う際のユーザインターフェイスの表示例を示す図である。
【図４】一般的なダウンロードチャネル設定処理を含むサーチ処理（図の左側）と、本実施の形態によるダウンロードチャネル設定処理を含むサーチ処理（図の右側）と、を対比させて示した図である。
【図５】図４のステップ５’におけるＰＡＴ、ＶＣＴ、ＰＭＴの取得処理の詳細を示す図である。
【図６】ダウンロードデータの取得方法について説明するための図である。
【図７】日本国内と米国におけるダウンロード方式の違いを模式的に示す図である。
【図８】ダウンロードデータを構成するＤＳＩ，ＤＩＩ，ＤＤＢの関連を示す図である。
【符号の説明】
【００４１】
Ａ…デジタル放送受信機、１…アンテナ、３…デジタル放送受信部、５…通信インターフェイス部、７…ウンロードデータ記憶部、１１…デコーダ部、１５…リモコン受光部、１７…制御部、１７ａ…ＴＳ変換・解析処理部、１７ｂ…チャネルサーチ処理部、２１…スピーカ、２３…ディスプレイ、２５…音声信号処理部、２７…映像信号処理部、３１…メモリ（ＲＡＭ、ＲＯＭ）。
【図１】
2008060702.tif 000003
【図２】
2008060702.tif 000004
【図３】
2008060702.tif 000005
【図４】
2008060702.tif 000006
【図５】
2008060702.tif 000007
【図６】
2008060702.tif 000008
【図７】
2008060702.tif 000009
【図８】
2008060702.tif 000010